(57)【要約】      （修正有）【課題】  粉体添加装置において、ある種の高性能凝集剤等の粉体を使用した場合にも十分に凝集剤など粉体の持つ性能を発揮することができる装置を提供する。【解決手段】  流体は、分割板２で２分割された粉体添加槽の前室に流入したのち、分割板の切り欠き部１０を通り後室に流入する。この流入時、流体は仕切り板に取り付けられた流体拡散板１１の上に落ちて平たく拡散し、拡散された流体の上に粉体が添加される。そして、粉体を添加された混合流体は後室の出口８から排出されたのち、出口管に装備されたラインミキサー９によって攪拌混合される。後室には、流体のレベルを検出するフロート１４が取り付けられ、フロートの変位をリンク機構を介して前室のオーバーフロー管入り口に設けられた調整弁５に伝え、オーバーフローする流体の量を加減して、後室の流体高さを一定に保つ。【選択図】図１
2006075812.tif 000002
【特許請求の範囲】
【請求項１】
粉体添加槽において、槽内を前室と後室に２分割する目的で、分割板を設けた構造の流体に対する粉体添加装置。
【請求項２】
分割板で２分割された粉体添加槽において、前室に原水取り入れ口とオーバーフロー口を設け、後室に粉体添加水の出口を設けた流体に対する粉体添加装置。
【請求項３】
分割板で２分割された粉体添加槽において、前室に原水取り入れ口とオーバーフロー口を設け、後室に粉体添加水の出口を設けた流体に対する粉体添加装置において分割板の上方を前室側に来るように傾斜させ処理量を増した構造の粉体添加槽を持つ流体に対する粉体添加装置。
【請求項４】
分割板で２分割された粉体添加槽において、前室に原水取り入れ口とオーバーフロー口を設け、後室に粉体添加水の出口を設けた粉体添加装置において分割板の一部に原水の通路としての切り欠きを設けた分割板を持つ構造の粉体添加槽を持つ流体に対する粉体添加装置。
【請求項５】
分割板で２分割された粉体添加槽において、取り入れ原水量を増す目的で分割板の上部を槽の原水取入れ口近く、下部を遠くに位置させ傾斜させた構造の分割板を持つ流体に対する粉体添加装置。
【請求項６】
分割板で２分割された粉体添加槽において、前室に原水取り入れ口とオーバーフロー口を設け、後室に粉体添加水の出口を設けた流体に対する粉体添加装置において、分割板の後室側に、分割板の切り欠き部を前室から後室に通過する原水を受けて広げ粉体の添加効率の向上を目的とした、原水拡散板を設けた粉体添加槽を持つ流体に対する粉体添加装置。
【請求項７】
分割板で２分割された粉体添加槽において、前室に原水取り入れ口とオーバーフロー口を設け、後室に粉体添加水の出口を設けた粉体添加装置において後室の粉体添加水の出口に接続された配管に粉体と原水の攪拌、混合の効率を向上させるためにラインミキサーを取り付けた構造をもつ粉体添加装置。
【請求項８】
分割板で２分割された粉体添加槽において、前室に原水取り入れ口とオーバーフロー口を設け、後室に粉体添加水の出口を設けた粉体添加装置において前部屋に設けられた原水取入れ口に接続された配管上に原水流入量を調節するための弁を設けた構造を持つ粉体添加装置。
【請求項９】
分割板で２分割された粉体添加槽において、前室に原水取り入れ口とオーバーフロー口を設け、後室に粉体添加水の出口を設けた流体に対する粉体添加装置において、後室に設けた粉体添加水出口からの空気吸入を防止しラインミキサーでの攪拌、混合効率を向上させる目的で、後室における一定の水深を確保ために後室にフロートを設けフロートの動きをリンク機構をもって伝達し、前室に設けられたオーバーフロー管の入り口に設けられた弁を調整することのできる機構をもった流体に対する粉体添加装置。
【発明の詳細な説明】
【発明の詳細な説明】
本発明は高性能凝集剤等の粉体を汚濁水等の流体に効率良く添加し、凝集剤の場合には凝集沈殿を促進するための高効率で安価な液体に対する粉体添加装置を提供するものである。
本発明は分割板（２）で２分割された粉体添加槽（１）の、前室（３）に調整弁（５）付きの原水取り入れ口（６）とオーバーフロー口（７）を設け、後室（４）に粉体添加水の出口（８）を設けその出口に接続された配管にラインミキサー（９）を設ける。分割板（２）には前室（３）から後室（４）に原水を流す切り欠き（１０）を設ける。
切り欠き（１０）の下流には切り欠き（１０）から流れ出る水を広げて粉体の添加を助ける流体拡散板（１１）をもうける。
原水に添加する粉体は凝集剤貯蔵ホッパー（１６）に蓄えられ、定量フィーダー（１５）を用いて流体拡散板（１１）の上に投入される。
後室（４）にはフロート（１２）を設けてその動きはリンク機構（１３）を介して前室（３）のオーバーフロー口（７）に取り付けられたバタフライ調整弁（１４）を駆動し後室（４）の水位を調節する。
【技術分野】
【０００１】本発明は汚水などの懸濁物を含む流体等に対して効率良く凝集剤等の粉体を添加しラインミキサーで強攪拌することにより混合性能を上げ、粉体の性能を最大限に引き出すための装置である。
【背景技術】
【０００２】従来の凝集剤等、粉体の流体に対する添加装置はある種の粉体には合わぬために粉体の持つ能力を最大限に発揮することができなかったばかりか寸法的に大きく高価な物であった。
【発明が解決しようとする課題】
【０００３】本発明は高性能凝集剤等の粉体が流体に添加された場合、その粉体の持つ性能を十分に発揮することを目的とし流体に対する均等な粉体の添加を行い強攪拌することにより、高性能で安価な粉体の流体に対する添加装置を提供するものである。
【課題を解決するための手段】
【０００４】ポンプにより圧送された原水は原水の流路のための切り欠きを持った分割板で２分割された粉体添加槽の前室に流入する。
前室の原水レベルが一定の高さまで上昇すると、原水は分割板の切り欠き部を通り後室に流入すると同時に余分の原水は前室の原水レベルを一定に保つためにオーバーフロー管から流出する。
前室から後室に流入した原水は仕切り板に取り付けられた原水拡散板の上に落ち平たく拡散する、この平たく拡散された原水の上に粉体は散布される。
切り欠き部から後室に流入した原水はある程度の厚みをもっているために、その状態で粉体を散布した場合場合、原水の表面に添加されるのみであるが原水拡散板の効果で原水は薄い状態になり粉体は原水に均等に添加されることになる。
粉体を添加された混合水は後室の出口から排出され、出口管に装備されたラインミキサーによって攪拌され粉体と流体の反応は促進される。
後室の水位が低い場合、後室の排出口から流出する混合水には空気を巻き込み、ラインミキサーに置いて十分に攪拌されないので、後室にはその水位を検出するフロートを取り付けそのフロートの変位をリンク機構を介して前室のオーバーフロー管入り口に設けられた調整弁をコントロールすることによりオーバーフローする原水の量を加減して、後室の水位を一定に保つ。
【発明実施の形態】
ポンプにより圧送された原水は原水の流路のための切り欠きを持った分割板で２分割された粉体添加槽の前室に流入する。
前室の原水レベルが一定の高さまで上昇すると、原水は分割板の切り欠き部を通り後室に流入すると同時に余分の原水は前室の原水レベルを一定に保つためにオーバーフロー管から流出する。
前室から後室に流入した原水は仕切り板に取り付けられた原水拡散板の上に落ち平たく拡散する、この平たく拡散された原水の上に凝集剤等の粉体は散布される。切り欠き部から後室に流入した原水はある程度の厚みをもっているために、その状態で粉体を散布した場合、原水の表面に添加されるのみであるが原水拡散板の効果で原水は薄い状態になり粉体は原水に均等に添加されることになる。
粉体を添加された混合水は後室の出口から排出され、出口管に装備されたラインミキサーによって攪拌され粉体と流体の反応は促進される。
後室の水位が低い場合、後室の排出口から流出する混合水には空気を巻き込み、ラインミキサーに置いて十分に攪拌されないので、後室にはその水位を検出するフロートを取り付けそのフロートの変位をリンク機構を介して前室のオーバーフロー管入り口に設けられた調整弁をコントロールすることによりオーバーフローする原水の量を加減して、後室の水位を一定に保つ。
【発明の効果】
以上の仕組みにより高性能凝集剤等の粉体の性能を十分に発揮する緒濁水等の流体の凝集剤添加装置等を製造することができる。
またこの技術による流体に対する粉体単価装置は構造的、原理的にも極めて簡単なために安価で容量の大きな装置を製造することが可能となる。
【図面の簡単な説明】
【図１】流体に対する粉体添加装置概念図
【符号の説明】
凝集剤添加槽（１）分割板（２）前室（３）後室（４）調整弁（５）原水取り入れ口（６）オーバーフロー口（７）凝集剤添加水の出口（８）ラインミキサー（９）切り欠き（１０）原水拡散板（１１）フロート（１２）リンク（１３）バタフライ調整弁（１４）定量フィーダー（１５）粉体貯蔵ホッパー（１６）流入水（１７）オーバーフロー水（１８）排水（１９）
【図１】
2006075812.tif 000003